【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
第１入力部と前記第１入力部と異なる第２入力部を含む複数の入力部を有する表示装置であって、
通信部と、
前記通信部により取得した、情報端末が有する出力部に関する出力部情報に基づいて、前記第１入力部を含み前記第２入力部を含まない選択画面を生成する生成部と、
前記選択画面を表示する表示部と、を備える、
表示装置。
【請求項２】
前記生成部は、
前記出力部と接続できる前記入力部を前記第１入力部とし、前記出力部と接続できない前記入力部を前記第２入力部として、前記選択画面を生成する、
請求項１に記載の表示装置。
【請求項３】
前記生成部は、
前記情報端末で検出された操作に基づいて、前記出力部情報が示す前記出力部の設定を前記情報端末が行い、前記表示装置が前記操作に基づいて設定された前記出力部と接続できる前記入力部を有する場合、当該前記入力部を前記第１入力部として、前記選択画面を生成する、
請求項１又は２に記載の表示装置。
【請求項４】
前記生成部は、
前記情報端末が、利用頻度が最も高い前記出力部を前記出力部情報に設定し、前記表示装置が前記出力部情報に設定された前記出力部と接続できる前記入力部を有する場合、当該前記入力部を前記第１入力部として、前記選択画面を生成する、
請求項１又は２に記載の表示装置。
【請求項５】
前記生成部は、
前記通信部により複数の前記情報端末から前記出力部情報を取得した場合、前記情報端末ごとに前記選択画面を生成する、
請求項１から４のいずれか一項に記載の表示装置。
【請求項６】
前記通信部は、前記出力部情報と共に前記情報端末の利用者を示す利用者情報を取得し、
前記生成部は、前記利用者情報を含む前記選択画面を生成する、
請求項１から５のいずれか一項に記載の表示装置。
【請求項７】
第１入力部と前記第１入力部と異なる第２入力部を含む複数の入力部を有する表示装置の制御方法であって、
情報端末が有する出力部に関する出力部情報を取得し、
取得した前記出力部情報に基づいて、前記第１入力部を含み前記第２入力部を含まない選択画面を生成し、
前記選択画面を表示する、
表示装置の制御方法。
【手続補正２】
【補正対象書類名】明細書
【補正対象項目名】０００８
【補正方法】変更
【補正の内容】
【０００８】
また、本発明は、前記生成部は、前記情報端末が、利用頻度が最も高い前記出力部を前記出力部情報に設定し、前記表示装置が前記出力部情報に設定された前記出力部と接続できる前記入力部を有する場合、当該前記入力部を前記第１入力部として、前記選択画面を生成する。
本発明によれば、利用頻度が最も高い出力部と接続できる入力部を有する場合、この入力部を第１入力部として選択画面を生成するため、利用頻度が最も高い出力部と接続できる入力部をユーザーに提示でき、情報端末と接続する際におけるユーザーの利便性を向上できる。
【手続補正３】
【補正対象書類名】明細書
【補正対象項目名】００２０
【補正方法】変更
【補正の内容】
【００２０】
本実施形態の入力インターフェース部１５１は、３つのＨＤＭＩインターフェース１５１Ａ（１５１Ａ１、１５１Ａ２、１５１Ａ３）（入力部）を備える。
また、入力インターフェース部１５１は、２つのＤ−Ｓｕｂインターフェース１５１Ｂ（１５１Ｂ１、１５１Ｂ２）（入力部）を備える。
また、入力インターフェース部１５１は、Ｖｉｄｅｏインターフェース１５１Ｃ（入力部）を備える。
また、入力インターフェース部１５１は、Ｄｉｓｐｌａｙｐｏｒｔインターフェース１５１Ｄ（入力部）を備える。
また、入力インターフェース部１５１は、ＵＳＢインターフェース１５１Ｅ（入力部）を備える。
また、入力インターフェース部１５１は、第１無線通信インターフェース１５１Ｆ（入力部）を備える。
また、入力インターフェース部１５１は、第２無線通信インターフェース１５１Ｇ（入力部）を備える。
以下の説明において、入力インターフェース部１５１が備えるこれらインターフェースを区別することなく総称して示す場合、入力インターフェースＮＦと表現する。
【手続補正４】
【補正対象書類名】明細書
【補正対象項目名】００６６
【補正方法】変更
【補正の内容】
【００６６】
図４のフローチャートＦＡに示すように、プロジェクター１００の制御部１７０の生成部１７２は、通信インターフェース部１４５により、端末装置２００から出力インターフェース情報と利用者情報ＲＪとを受信したか否かを判別する（ステップＳＡ３）。なお、プロジェクター１００が出力インターフェース情報及び利用者情報ＲＪを受信することは、プロジェクター１００が出力インターフェース情報及び利用者情報ＲＪを取得することに相当する。
【手続補正５】
【補正対象書類名】明細書
【補正対象項目名】００８６
【補正方法】変更
【補正の内容】
【００８６】
＜第２の例＞
第２の例について説明する。第２の例でも、図４に示す各フローチャートに沿って説明するが、適宜、各処理について省略又は簡略して説明する。
【手続補正６】
【補正対象書類名】明細書
【補正対象項目名】０１１２
【補正方法】変更
【補正の内容】
【０１１２】
生成部１７２は、ステップＳＣ１において特定した組み合わせに基づいて選択画面ＳＧを生成すると（ステップＳＡ７）、出力インターフェース情報と利用者情報ＲＪとの組み合わせの全てについて、選択画面ＳＧを生成したか否かを判別する（ステップＳＣ２）。例えば、端末装置２００Ａから受信した出力インターフェース情報と利用者情報ＲＪとに基づいて選択画面ＳＧを生成し、他の端末装置２００については選択画面ＳＧを生成していない場合、生成部１７２は、否定判別を実行する。そして、生成部１７２は、処理をステップＳＣ１に戻し、端末装置２００Ｂ、又は、端末装置２００Ｃのいずれかから受信した出力インターフェース情報と利用者情報ＲＪとの組み合わせに基づいて選択画面ＳＧを生成する。このように、生成部１７２は、端末装置２００ごとに選択画面ＳＧを生成する。
【手続補正７】
【補正対象書類名】明細書
【補正対象項目名】０１１７
【補正方法】変更
【補正の内容】
【０１１７】
例えば、図９の選択画面ＳＧにおいてボタンＢ２が選択された場合、投射制御部１７１は、端末装置２００Ｃに関する選択画面ＳＧを投射する。端末装置２００Ｃに関する選択画面ＳＧは、図９の選択画面ＳＧと同様、「利用者Ｃ」を示す利用者情報ＲＪと、端末装置２００Ｃとプロジェクター１００とが接続する場合に、端末装置２００Ｃが接続できる入力インターフェースＮＦを示すインターフェース情報ＩＪとを含む。
例えば、図９の選択画面ＳＧにおいてボタンＢ３が選択された場合、投射制御部１７１は、端末装置２００Ｂに関する選択画面ＳＧを投射する。端末装置２００Ｂに関する選択画面ＳＧは、図９の選択画面ＳＧと同様、「利用者Ｂ」を示す利用者情報ＲＪと、端末装置２００Ｂとプロジェクター１００とが接続する場合に、端末装置２００Ｂが接続できる入力インターフェースＮＦを示すインターフェース情報ＩＪとを含む。
【手続補正８】
【補正対象書類名】明細書
【補正対象項目名】０１２１
【補正方法】変更
【補正の内容】
【０１２１】
このことについて、詳述する。プロジェクター１００の制御部１７０の生成部１７２は、通信インターフェース部１４５により、複数の端末装置２００から出力インターフェース情報と利用者情報ＲＪとを受信する。生成部１７２は、複数の端末装置２００から出力インターフェース情報と利用者情報ＲＪとを受信すると、複数の出力インターフェース情報が示す出力インターフェースＳＦのうち、最も数が多い種類の出力インターフェースＳＦを特定する。そして、生成部１７２は、最も数が多い種類の出力インターフェースＳＦと同種の入力インターフェースＮＦをプロジェクター１００が有している場合、この入力インターフェースＮＦを示すインターフェース情報ＩＪのみ含み、他のインターフェース情報ＩＪを含まない選択画面ＳＧを生成する。そして、投射制御部１７１は、投射部１１０により、この選択画面ＳＧを投射する。